(57)【要約】【課題】各駅で発生した自動券売機の売上等の集計処理を基幹駅で低コストに簡単にできるようにする。【解決手段】駅に設置されている自動券売機等の駅務機器から発生する乗車券等の売上や自動改札機の通過人数等の所定のデータを収集し、その収集したデータをその駅を通過する列車に向けて送信する、その駅に設けられた駅装置と、前記駅装置から送信されてくる所定のデータを受信するとともに、その受信した所定のデータを記憶するメモリを有する、前記列車に搭載された車上装置と、前記車上装置のメモリに記憶されている所定のデータに基づいて乗車券等の売上の集計処理や自動改札機の通過人数の集計処理等の所定の集計処理を行うことのできる中央装置とからなる。【選択図】　　　図３
2004054313.tif 000002
【特許請求の範囲】
【請求項１】
駅に設置されている自動券売機等の駅務機器から発生する乗車券等の売上や自動改札機の通過人数等の所定のデータを収集し、その収集したデータをその駅を通過する列車に向けて送信する、その駅に設けられた駅装置と、
前記駅装置から送信されてくる所定のデータを受信するとともに、その受信した所定のデータを記憶するメモリを有する、前記列車に搭載された車上装置と、前記車上装置のメモリに記憶されている所定のデータに基づいて乗車券等の売上の集計処理や自動改札機の通過人数の集計処理等の所定の集計処理を行うことのできる中央装置と、
からなることを特徴とするデータ収集システム。
【請求項２】
請求項１に記載のデータ収集システムにおいて、中央装置は基幹駅に設置されるものであることを特徴とするデータ収集システム。
【請求項３】
請求項１又は２に記載のデータ収集システムにおいて、車上装置のメモリに記憶される所定のデータは、無線を介して中央装置に送出されるものであることを特徴とするデータ収集システム。
【請求項４】
請求項１又は２に記載のデータ収集システムにおいて、車上装置のメモリに記憶される所定のデータは、可搬式の情報記録媒体を介して中央装置に送出されるものであることを特徴とするデータ収集システム。
【発明の詳細な説明】
【０００１】
【発明の属する技術分野】
本発明は、各駅の駅務機器から発生する自動券売機の売上等の所定のデータを基幹駅等の所定の中央で効率よく集計処理することのできるデータ収集システムに関する。
【０００２】
【従来の技術】
従来、各駅においては、所定時間毎に、例えば、一日の所定時刻到来時に自動券売機や自動精算機の売上、あるいは、自動改札機の通過人数等の駅務機器から発生する各種データが収集されて集計処理されている。また、各駅で集計処理されたデータは、鉄道会社の本社や列車（電車）の発着の起点となるような大型の駅、いわゆる基幹駅に集められて鉄道会社全体としての集計処理が行われている。
【０００３】
【発明が解決しようとする課題】
しかしながら、上記従来の各駅で発生したデータを集めて全体的なデータとするには、係員により所定の中央に集める人手によるので、係員の負担が大きくなるという欠点があった。
【０００４】
このような欠点を解決するために、各駅に設けられている駅務機器を管理する駅務機器制御装置、いわゆる駅制と、中央に設けられているホストコンピュータを中心に形成されている中央装置とをオンラインで結んで、中央装置で一括して集計処理ができるようにすることも考えられるが、このようなオンライン設備を閑散駅や無人駅までも含めて構築するためには、膨大な設備費を必要とする欠点があった。
【０００５】
そこで、本発明は、上記欠点を解決するためになされたものであって、その目的は、各駅の駅務機器から発生するデータを安価に簡単に収集することのできるデータ収集システムを提供することにある。
【０００６】
【課題を解決するための手段】
本発明に係るデータ収集システムは、上記目的を達成するために、請求項１に記載の発明は、駅に設置されている自動券売機等の駅務機器から発生する乗車券等の売上や自動改札機の通過人数等の所定のデータを収集し、その収集したデータをその駅を通過する列車に向けて送信する、その駅に設けられた駅装置と、その駅装置から送信されてくる所定のデータを受信するとともに、その受信した所定のデータを記憶するメモリを有する、前記列車に搭載された車上装置と、その車上装置のメモリに記憶されている所定のデータに基づいて乗車券等の売上の集計処理や自動改札機の通過人数の集計処理等の所定の集計処理を行うことのできる中央装置と、からなることを特徴としている。
本発明の請求項２に記載のデータ収集システムは、中央装置は基幹駅に設置されるものであることを特徴としている。
本発明の請求項３に記載のデータ収集システムは、車上装置のメモリに記憶される所定のデータは、無線を介して中央装置に送出されるものであることを特徴としている。
本発明の請求項４に記載のデータ収集システムは、車上装置のメモリに記憶される所定のデータは、可搬式の情報記録媒体を介して中央装置に送出されるものであることを特徴としております。
【０００７】
【発明の実施の形態】
以下、本発明の実施の形態を図面に基づいて説明する。図１は、一実施の形態に係るデータ収集システムの概略構成図であって、路線Ｒ中には、複数の駅Ａ１　，Ａ２　…と、その路線Ｒの発着駅の基幹駅としての駅Ａ０　（以下、駅Ａ０　を基幹駅として説明する。）とが含まれている。
【０００８】
各駅Ａ１　，Ａ２　…には、アンテナａを備えた駅装置Ｓ１　，Ｓ２　…がそれぞれ設けられ、また、基幹駅Ａ０　には、アンテナａを備えた中央装置Ｈが設けられている。そして、路線Ｒを走行する列車イには、アンテナａを備えた車上装置Ｔが設けられている。
【０００９】
図２は、駅装置Ｓ１　，Ｓ２　…、中央装置Ｈ及び車上装置Ｔの概略構成を示すブロック図を示している。駅装置Ｓ１　，Ｓ２　…（各駅装置は同一構成なので、Ａ１　駅に設置されている駅装置Ｓ１　を例に説明する。）は、その駅装置Ｓ１　を統括的に制御するＣＰＵを中心に形成された制御部１０を有し、この制御部１０には、Ａ１　駅に設置されている自動券売機、自動精算機及び自動改札機等の駅務機器で発生した売上や通過人数等の所定のデータを取込むための入力部１１と、その取込んだデータを記憶するメモリ１２と、そのメモリ１２に記憶されているデータをアンテナａを介して列車イ側に向けて送信する送信部１３とが接続されている。各駅装置Ｓ１　，Ｓ２　…は、周知の駅務機器制御装置、いわゆる駅制に通信機能を付加して簡単に構成することができる。
【００１０】
中央装置Ｈは、その中央装置Ｈを統括的に制御するＣＰＵを中心に形成された制御部２０を有し、この制御部２０には、後述する列車イから送出されてくる各駅にそれぞれ設置されている自動券売機、自動精算機及び自動改札機等の駅務機器で発生した売上や通過人数等の所定のデータをアンテナａを介して取込むための受信部２１と、その取込んだデータを記憶するメモリ２２と、そのメモリ２２に記憶されているデータを表示画面に表示する表示部２３と、そのメモリ２２に記憶されている内容をプリントアウトする印字部２５と、中央装置Ｈを操作するテンキーやマウスからなる操作部２５とが接続されている。
【００１１】
車上装置Ｔは、その車上装置Ｔを統括的に制御するＣＰＵを中心に形成された制御部３０を有し、この制御部３０には、各駅に設置されている自動券売機、自動精算機及び自動改札機等の駅務機器で発生した売上や通過人数等の所定のデータをアンテナａを介して取込むとともに、その取込んだデータを上記中央装置Ｈ側にアンテナａを介して送信するための送受信部３１と、その取込んだデータを記憶するメモリ３２と、その車上装置Ｔを操作する操作釦群からなる操作部３３とが接続されている。なお、この車上装置Ｔと駅装置Ｓ１　又は中央装置Ｈとのデータ通信は、ＡＴＳ等の列車制御用装置を用いて行うこともできる。例えば、列車イの先頭下部に設けられている車上子と路線Ｒに沿って設けられている地上子を介して行うこともできる。
【００１２】
以下、図３のフローチャートを用いて制御動作について説明する。今、列車イが基幹駅Ａ０　に向けて進行しているものとする。また、駅装置Ｓ１　のメモリ１２には、自動券売機等の駅務機器から発生したデータが取込まれて記憶されているものとする（ステップ１００）。そして、列車イがＡ１　駅の所定位置に停車し、又はその列車イが駅Ａ１　を通過すると、その列車イが駅装置Ａ１　のアンテナａに所定距離まで接近し、駅装置Ｓ１　のメモリ１２に記憶されているそのＡ１　駅の駅務機器で発生した売上等の所定のデータが送信部１３を介して車上装置Ｔのメモリ３２に記憶される（ステップ１０２肯定、ステップ１０４）。なお、図３のフローチャートでは省略されているが、駅装置Ｓ１　は、車上装置Ｔからデータを受信した旨の所定のデータを図示しない受信部を介して受信したときに、その駅装置Ｓ１　のメモリ１２に記憶されているデータはクリアされる。このような車上装置Ｔへのデータの取込みは、列車イが駅Ａ２　，Ａ３　…を通過する毎に行われる。
【００１３】
列車イが基幹駅Ａ０　に到着すると（ステップ１０６肯定）、車上装置Ｔと中央装置Ｈとの間で交信が開始され、車上装置Ｔのメモリ３２に記憶されているデータが送受信部３１を介して中央装置Ｈのメモリ２２に取込まれる（ステップ１０８）。車上装置Ｔは、中央装置Ｈのメモリ２２に車上装置Ｔのメモリ３２に記憶されているデータが記憶されたことを示す所定のデータを受信すると、その車上装置Ｔのメモリ３２に記憶されているデータはクリアされる（図３のステップでは省略）。
【００１４】
中央装置Ｈでは、メモリ２２に記憶されている各駅Ａ１　，Ａ２　…で収集された所定のデータに基づいて各駅毎及び全体的な売上や通過人数等の所定の集計処理が行われる（Ｓ１１０）。得られた集計処理の結果は、鉄道会社の経営や運転管理等に利用される。
【００１５】
なお、上述の例では、車上装置Ｔから中央装置Ｈへのデータ送信は、無線により行われたが、車上装置Ｔのメモリ３２をフレキシブルディスク等の可搬式の情報記録媒体とし、その情報記録媒体を車上装置Ｔから中央装置Ｈへ移動して行うこともできる。また、各駅Ａ１　，Ａ２　…からの所定のデータの収集は、列車が通過する度に行ってもよいが、終電車等の特定の列車のみで行うようにしてもよい。
【００１６】
【発明の効果】
本発明の請求項１に記載のデータ収集システムは、駅に設置されている自動券売機等の駅務機器から発生する乗車券等の売上や自動改札機の通過人数等の所定のデータを収集し、その収集したデータをその駅を通過する列車に向けて送信する、その駅に設けられた駅装置と、その駅装置から送信されてくる所定のデータを受信するとともに、その受信した所定のデータを記憶するメモリを有する、前記列車に搭載された車上装置と、その車上装置のメモリに記憶されている所定のデータに基づいて乗車券等の売上の集計処理や自動改札機の通過人数の集計処理等の所定の集計処理を行うことのできる中央装置とからなるので、低コストに簡単にデータを収集することができる。
本発明の請求項２に記載のデータ収集システムは、中央装置は基幹駅に設置されるので、基幹駅で簡単に全体の集計処理を行うことができる。
本発明の請求項３に記載のデータ収集システムは、車上装置のメモリに記憶される所定のデータは、無線を介して中央装置に送出されるので、車上装置から中央装置へ簡単にデータを移動することができる。
本発明の請求項４に記載のデータ収集システムは、車上装置のメモリに記憶される所定のデータは、可搬式の情報記録媒体を介して中央装置に送出されるので、車上装置から中央装置へ簡単にデータを移動することができる。
【図面の簡単な説明】
【図１】本発明の一実施の形態に係るデータ収集システムの概略構成図である。
【図２】駅装置、車上装置及び中央装置の概略構成を示すブロック図である。
【図３】制御動作を示すフローチャートである。
【符号の説明】
Ｓ１　，Ｓ２　…　駅装置
Ｔ　車上装置
Ｈ　中央装置
イ　列車
Ａ１　，Ａ２　…　駅
Ａ０　　基幹駅
【図１】
2004054313.tif 000003
【図２】
2004054313.tif 000004
【図３】
2004054313.tif 000005